(57)【特許請求の範囲】
【請求項１】
中実状のソリッド体（１）を備え、該ソリッド体（１）の外周面（１ａ）にプリプレグ（７）が巻装されてなり、ソリッド体（１）及びプリプレグ（７）は、カーボン繊維やガラス繊維等の強化繊維に合成樹脂が含浸されて形成されてなる釣竿であって、前記プリプレグ（７）の竿先側端部（７ｂ）の外周側には、該プリプレグ（７）とは別体のテープ状のプリプレグ（８）が更に巻装されてなり、前記更に巻装されたテープ状のプリプレグ（８）は、竿軸方向とは異なる方向に引き揃えられた強化繊維を有することを特徴とする釣竿。
【請求項２】
中実状のソリッド体（１）を備え、該ソリッド体（１）の外周面（１ａ）に複数のプリプレグが互いに重なり合うよう巻装されてなり、ソリッド体（１）及びプリプレグは、カーボン繊維やガラス繊維等の強化繊維に合成樹脂が含浸されて形成されてなる釣竿であって、少なくとも竿先側端部（４ｂ）が前記ソリッド体（１）の外周面（１ａ）に巻装されたプリプレグ（４）の外周側には、該プリプレグ（４）の竿先側端部（４ｂ）とその竿先側のソリッド体（１）の外周面（１ａ）とを被覆するよう巻装されたプリプレグ（５）を有してなり、前記複数のプリプレグの外周側にテープ状のプリプレグ（８）が更に巻装されてなり、前記更に巻装されたテープ状のプリプレグ（８）は、竿軸方向とは異なる方向に引き揃えられた強化繊維を有することを特徴とする釣竿。
【請求項３】
外周側のプリプレグほどソリッド体（１）の外周面（１ａ）の竿先側を被覆するよう巻装された複数のプリプレグ（４，５，６，７）を有してなる請求項２記載の釣竿。
【発明の詳細な説明】
【０００１】
【発明の属する技術分野】
本発明は、中実状のソリッド体を竿先から竿元まであるいはその一部に備え、該ソリッド体にプリプレグが巻装されてなる釣竿に関するものである。
【０００２】
【従来の技術】
近年、軽量化と曲げ剛性確保のために、釣竿の補強繊維としてカーボン繊維やガラス繊維等の強化繊維が使用されている。これらの強化繊維は、一般には、一定方向に引き揃えられて合成樹脂が含浸されてシート状のプリプレグとして使用され、このプリプレグから筒状の釣竿が形成されることが多い。
【０００３】
その一方、例えば、竿全体若しくはその一部分を、前記強化繊維を竿軸方向に引き揃えて合成樹脂を含浸してなる中実状のソリッド体から構成し、該ソリッド体の外周面に前記プリプレグを巻装してソリッド体と一体化させることもある。
【０００４】
かかる釣竿では、含浸された合成樹脂が一種の接着剤として機能することによってソリッド体の外周面にプリプレグが密着され、その密着は合成樹脂の強度によって維持される。
【０００５】
【発明が解決しようとする課題】
しかるに、合成樹脂の強度は強化繊維のそれに比して極めて小さいため、ソリッド体からプリプレグが剥離するという問題が生じる場合があった。
特に、この剥離現象は、曲げの関係から、巻装されたプリプレグの竿先側端部において発生しやすいものであった。
【０００６】
そこで本発明は、上記従来の問題点に鑑みてなされたものであり、その課題とするところは、ソリッド体に巻装されたプリプレグのソリッド体からの剥離を確実に防止することにある。
【０００７】
【課題を解決するための手段】
本発明は、上記課題を解決すべくなされたものであり、本発明に係る竿は、中実状のソリッド体１を備え、該ソリッド体１の外周面１ａにプリプレグ７が巻装されてなり、ソリッド体１及びプリプレグ７は、カーボン繊維やガラス繊維等の強化繊維に合成樹脂が含浸されて形成されてなる釣竿であって、前記プリプレグ７の竿先側端部７ｂの外周側には、該プリプレグ７とは別体のテープ状のプリプレグ８が更に巻装されてなり、前記更に巻装されたテープ状のプリプレグ（８）は、竿軸方向とは異なる方向に引き揃えられた強化繊維を有することを特徴とする。
【０００８】
かかる釣竿にあっては、ソリッド体１の外周面１ａに巻装されたプリプレグ７の竿先側端部７ｂの外周側に、該プリプレグ７とは別体のテープ状のプリプレグ８が更に巻装されてなるので、この更に巻装されたテープ状のプリプレグ８がその内側に位置するプリプレグ７を押さえつけることにより、ソリッド体１の外周面１ａとプリプレグ７との密着性が確保される。
【０００９】
また、ソリッド体の外周面に巻装されたプリプレグは、竿軸方向に引き揃えられた強化繊維を有することが多いため、外周側に更に巻装されたテープ状のプリプレグ８を、竿軸方向と異なる方向の強化繊維を有するテープ状のプリプレグ８とし、この竿軸方向と異なる方向の強化繊維によって内側のプリプレグ７がより一層確実にソリッド体１の外周面１ａに密着した状態が維持される。
【００１０】
また、ソリッド体１の外周面１ａに複数のプリプレグを互いに重なり合うよう巻装する場合には、請求項２記載の如く、少なくとも竿先側端部４ｂがソリッド体１の外周面１ａに巻装されているプリプレグ４の外周側に、該プリプレグ４の竿先側端部４ｂとその竿先側のソリッド体１の外周面１ａとを被覆するよう巻装されたプリプレグ５を有することにより、ソリッド体１の外周面１ａに巻装されたプリプレグ４の竿先側端部４ｂの剥離が防止される。即ち、その外周側に巻装されたプリプレグ５が、内周側のソリッド体４より竿先側のソリッド体１の外周面１ａに巻装されて密着してなるため、内周側のプリプレグ４の竿先側端部４ｂが外周側のプリプレグ５によって竿先側から押さえつけられ、内周側のプリプレグ４の竿先側端部４ｂのソリッド体１の外周面１ａへの密着状態が維持される。
【００１１】
特に、請求項３記載の如く、外周側のプリプレグほどソリッド体１の外周面１ａの竿先側を被覆するよう巻装されてなる複数のプリプレグ４，５，６，７を有すると、これら各々の外周側のプリプレグ５，６，７によってその内側のプリプレグ４，５，６の竿先側端部４ｂ，５ｂ，６ｂが被覆されてソリッド体１の外周面１ａに押さえつけられてソリッド体１からの剥離が防止される。
【００１２】
【発明の実施の形態】
以下、本発明に係る釣竿の一実施形態について、図１乃至図５を参酌しつつ、ハンドル部３に固定挿入する領域を除き、竿先から竿元まで中実状のソリッド体１が設けられ、該ソリッド体１の外周面１ａにプリプレグが巻装されてなる釣竿について説明する。
【００１３】
前記ソリッド体１は、竿先から竿元にかけて径が大きくなったテーパ状に形成されてなり、カーボン繊維を補強繊維として使用してなる。該カーボン繊維は一定方向に引き揃えられており、その方向は竿軸方向と略一致している。尚、該ソリッド体１は、カーボン繊維を長さ方向に集合したものに合成樹脂を含浸させて加圧加熱により硬化成形して形成したものである。ここで、カーボン繊維の弾性率は、略２３ｔｏｎ／ｍｍ2以下であり、特に、略１９ｔｏｎ／ｍｍ2以下が好ましく、本実施形態では、略１５ｔｏｎ／ｍｍ2ものを使用している。また、前記合成樹脂としては不飽和ポリエステルを使用しているが、これに限定されない。また、ソリッド体１の合成樹脂の含浸量は、３０乃至５０重量％程度が好ましく、本実施形態では、４３重量％である。
【００１４】
そして、該ソリッド体１に複数のプリプレグが巻装されることによりプリプレグ層２が形成されてなる。尚、図１の如く、ソリッド体１の竿元側には、プリプレグ層２が設けられていない領域があるが、これは、ソリッド体１をハンドル部３に挿入固定するための領域である。従って、竿全体としては、ハンドル部３から先の領域の全長に亘ってプリプレグが巻装されてプリプレグ層２が形成されている。
【００１５】
かかるプリプレグは、カーボン繊維を補強繊維としており、カーボン繊維を一定方向に引き揃えて合成樹脂を含浸させたシート状のものを、三角状、扇状、台形状、方形状等の所定の形状、あるいは所定幅の長尺状のテープ状等、所定の形状に裁断したものである。
【００１６】
本実施形態においては、竿先側に向かって先細り形状（略三角形状）に裁断された四枚のプリプレグ４，５，６，７と、略一定幅に長尺状に裁断されたテープ状のプリプレグ８とを使用している。以下、具体的に説明する。
【００１７】
まず、図３の如く、竿先側に向かって先細り形状（略三角形状）に形成された四枚のプリプレグ４，５，６，７がソリッド体１に互いに重なり合うよう巻装される。そのうち、内側の三枚４，５，６は、外周側のものほど竿軸方向の長さ（先細り側に向けた長さ）が長く、該三枚のプリプレグ４，５，６は、その竿元側端部４ａ，５ａ，６ａが略揃えられて、ソリッド体１の竿先側を残すようにソリッド体１の軸方向の一部に巻装される。即ち、外周側のものほどソリッド体１の竿先側に長く巻装される。そして、三枚目のプリプレグ６の外周側に四枚目のプリプレグ７が巻装されるが、該四枚目のプリプレグ７は、三枚目のプリプレグ６の竿先側略半分と、その竿先側に露出しているソリッド体１の外周面１ａとに巻装され、ソリッド体１の竿先側先端１ｂまで巻装される。このように合計四枚の略三角形状のプリプレグ４，５，６，７は、全て竿先側端部４ｂ，５ｂ，６ｂ，７ｂがソリッド体１の外周面１ａに巻装され、各々の内周側のプリプレグ４，５，６の竿先側端部４ｂ，５ｂ，６ｂを被覆すると共に、その竿先側に露出した状態のソリッド体１の外周面１ａを被覆するよう巻装される。尚、略三角形状の四枚のプリプレグ４，５，６，７は、その幅が竿元側に向けて広くなっているので竿元側ほど巻回回数が多くなり、その結果、竿元側ほど巻装厚みが厚くなる。また、カーボン繊維の方向性についてはソリッド体１の軸方向と略一致している。
【００１８】
そして、これら四枚のプリプレグ４，５，６，７の外周側に全長に亘って前記テープ状のプリプレグ８が巻装されてなる。該テープ状プリプレグ８は、四枚のプリプレグ４，５，６，７の巻回方向とは逆方向に巻回されており、図４の如く、竿軸方向に巻回位置を徐々に移動させつつ螺旋状に巻回される。尚、テープ状のプリプレグ８は、その長手方向にカーボン繊維が引き揃えられており、巻装状態において、カーボン繊維の方向が略周方向となる。このテープ状のプリプレグ８においても、竿元側ほど螺旋ピッチを狭くする等により、竿元側の巻装厚みが厚くなるよう、つまり竿元側ほどテーパの勾配がきつくなるようにしている。
【００１９】
このように本実施形態では複数のプリプレグを巻装させてなるが、その結果形成されるプリプレグ層２は、略三角形状のプリプレグ４，５，６，７の巻装による第一プリプレグ層２ａと、テープ状のプリプレグ８の巻装による第二プリプレグ層２ｂとから構成される。そして、プリプレグ層２とソリッド体１との径方向の寸法関係を具体的に説明すると、図２のようになる。まず、竿先において、ソリッド体１の径Ｄ１が約１．８ｍｍ、第一プリプレグ層２ａの外径Ｄ２が約２．２乃至２．６ｍｍ、第二プリプレグ層２ｂの外径Ｄ３が２．４乃至２．８ｍｍとなっている。プリプレグ層２の竿元では、ソリッド体１の径Ｄ１が約７．７ｍｍ、第一プリプレグ層２ａの外径Ｄ２が約１１．６乃至１４．６ｍｍ、第二プリプレグ層２ｂの外径Ｄ３が１２乃至１５ｍｍとなっている。
【００２０】
また、プリプレグのカーボン繊維の弾性率については、略三角形状のプリプレグ４，５，６，７のそれが略１７ｔｏｎ／ｍｍ2で、テープ状のプリプレグ８のそれが略２４ｔｏｎ／ｍｍ2である。尚、略三角形状のプリプレグ４，５，６，７は全て、弾性率の異なる二種類のカーボン繊維が混合されたもの、具体的には、１１．４ｔｏｎ／ｍｍ2と２３．９ｔｏｎ／ｍｍ2との混合であって全体としての弾性率が１７．１ｔｏｎ／ｍｍ2である。また、プリプレグについても合成樹脂は特に限定されず、その含浸量も３０乃至５０重量％が好ましいが、本実施形態ではエポキシ樹脂を採用し、その含浸量を３７重量％としている。
【００２１】
以上のように複数のプリプレグが巻装された状態を模式的に示すと図５のようになる。即ち、一枚目のプリプレグ４は全長に亘ってソリッド体１の外周面１ａに巻装されているが、二枚目から四枚目のプリプレグ５，６，７は、竿先側のみがソリッド体１の外周面１ａに巻装されている。何れにしても、略三角形状の四枚のプリプレグ４，５，６，７は、各々の竿先側端部４ｂ，５ｂ，６ｂ，７ｂがソリッド体１の外周面１ａに巻装され、その外周側には他のプリプレグ５，６，７，８が巻装された状態にある。しかも、二枚目から四枚目のプリプレグ５，６，７は、それぞれ一枚目から三枚目のプリプレグ４，５，６の竿先側端部４ｂ，５ｂ，６ｂとその竿先側のソリッド体１の外周面１ａとを被覆する関係にある。そして、四枚目のプリプレグ７の竿先側端部７ｂの外周側には、テープ状のプリプレグ８が巻装されている。
【００２２】
従って、少なくとも竿先側端部４ｂ，５ｂ，６ｂ，７ｂがソリッド体１の外周面１ａに巻装された状態にある四枚のプリプレグ４，５，６，７は、何れもその外周側のプリプレグ５，６，７，８によって竿先側端部４ｂ，５ｂ，６ｂ，７ｂが押さえつけられており、各竿先側端部４ｂ，５ｂ，６ｂ，７ｂのソリッド体１の外周面１ａからの剥離が防止される。しかも、一枚目から三枚目のプリプレグ４，５，６の竿先側端部４ｂ，５ｂ，６ｂは、それぞれ二枚目から四枚目のプリプレグ５，６，７がソリッド体１の外周面１ａの竿先側に密着しているため、単に外周側に別体のプリプレグが巻装された場合に比してより一層確実に剥離が防止される。また、四枚目のプリプレグ７の竿先側端部７ｂについては、テープ状プリプレグ８のカーボン繊維がその長手方向に沿って引き揃えられ、巻装状態においてカーボン繊維の方向性が略周方向で、四枚目のプリプレグ７のカーボン繊維とは異なる方向であるため、略周方向のカーボン繊維の剛性によって、四枚目のプリプレグ７の竿先側端部７ｂのソリッド体１からの剥離がより一層確実に防止されるのである。
【００２３】
更に、カーボン繊維の弾性率を、ソリッド体１、略三角形状のプリプレグ４，５，６，７、テープ状のプリプレグ８の順に大きくし且つ、ソリッド体１とプリプレグ層２との間の弾性率の差を小さくしてなるので、ソリッド体１とプリプレグ層２との境界面（含浸された合成樹脂からなる樹脂層）で生じやすい応力集中の発生を防止でき、プリプレグの剥離防止効果がより一層高まる。
【００２４】
このように、竿を単一素材で構成せずに弾性率の異なる複数素材から構成する場合には、その境界面での応力集中を防止することが重要となる。従って、ソリッド体１とプリプレグ層２との境界面における応力集中の発生を確実に防止するために、略三角形状のプリプレグ４，５，６，７のカーボン繊維の弾性率をソリッド体１とほぼ同じにすることも可能である。即ち、例えば、ソリッド体１のカーボン繊維の弾性率を略１５ｔｏｎ／ｍｍ2とする場合に、その外周面１ａに巻装する略三角形状のプリプレグ４，５，６，７におけるカーボン繊維の弾性率も略１５ｔｏｎ／ｍｍ2とすることで、応力集中を確実に防止でき、プリプレグの剥離防止効果も更に高まる。この場合、ソリッド体１と略三角形状のプリプレグ４，５，６，７の弾性率が同じであるが、プリプレグ層２によって竿の調子の調節が容易となり、ソリッド体１の製造が容易になるので、ソリッド体１の径を第一プリプレグ層２ａ分だけ大きくする場合よりも有利である。
【００２５】
尚、上記実施形態において、テープ状のプリプレグ８のカーボン繊維を全てその長手方向に引き揃える以外にも、幅方向に引き揃えられたカーボン繊維を含有させてもよい。何れにしても、巻装状態において竿軸方向とは異なる方向に引き揃えられたカーボン繊維を有していれば、その内周側に位置するプリプレグ７のソリッド体１の外周面１ａからの剥離を防止する効果に優れる。
【００２６】
その他、プリプレグの数やその形状等も適宜設計変更可能であり、また、上記実施形態ではソリッド体１及びプリプレグ４，５，６，７，８の双方にカーボン繊維を用いてなるが、カーボン繊維以外の例えばガラス繊維等の強化繊維を双方若しくは何れか一方に用いることも可能である。
【００２７】
また、竿先から竿元までソリッド体１の外周面にプリプレグを巻装したもの以外にも、例えば、竿元のみプリプレグを巻装したものであってもよい。その他、プリプレグが巻装されたソリッド体が例えば竿先にのみ設けられ、竿元側が中空状である竿とすることも可能である。特に、穂先部は径が極小となるうえに曲がりも大きいので、ソリッド体にプリプレグが巻装された本発明の構成を穂先部に用いた場合にはその効果が大きい。
【００２８】
更に、ソリッド体からのプリプレグの剥離を防止する手段としては、上述したもの以外にも、いくつか考えられる。例えば、ソリッド体の外周面にまずテープ状のプリプレグ（例えば、その長手方向にカーボン繊維が引き揃えられたもの）を螺旋状に巻回し、その外周側に上述のような略三角形状のプリプレグ（例えば、カーボン繊維が竿軸方向に沿って引き揃えられたもの）を巻装する構成がある。この場合、略三角形状のプリプレグとソリッド体の外周面との間に、螺旋状に巻装されたテープ状のプリプレグが介在し、該テープ状のプリプレグと略三角形状のプリプレグとが一体化されることで略三角形状のプリプレグの剥離が防止される。その他にも、ソリッド体に多層状態に巻装された複数のプリプレグのうち、最内周のプリプレグ（少なくとも竿先側端部がソリッド体の外周面に巻装されたプリプレグ）のみ、強化繊維の一部が周方向に引き揃えられているものを用い、それ以外のプリプレグの強化繊維は、略竿軸方向にのみ引き揃えられてなるものを用いることによっても、同様に最内周のプリプレグのソリッド体からの剥離が防止できる。即ち、複数のプリプレグをソリッド体に多層状態に巻装する場合、最内周のプリプレグが略周方向に引き揃えられた強化繊維を有していれば、その最内周のプリプレグのソリッド体からの剥離が防止される。
【００２９】
【発明の効果】
以上のように本発明に係る釣竿にあっては、ソリッド体の外周面に巻装されたプリプレグの竿先側端部の外周側に更に別体のプリプレグを巻装することにより、ソリッド体の外周面に巻装されたプリプレグの竿先側端部のソリッド体からの剥離が確実に防止される。
【００３０】
また、ソリッド体の外周面に複数のプリプレグが互いに重なり合うよう巻装され、ソリッド体の外周面に巻装されたプリプレグの外周側に、該プリプレグの竿先側端部とその竿先側のソリッド体の外周面とを被覆するよう巻装されたプリプレグを有する場合には、竿先側端部とその竿先側のソリッド体の外周面とを被覆するプリプレグによって、その内周側に位置するプリプレグの竿先側端部の剥離が確実に防止される。
【図面の簡単な説明】
【図１】本発明の一実施形態における釣竿の要部を示す概略縦断面図。
【図２】同横断面図。
【図３】同実施形態の釣竿の製造過程を示す概略図。
【図４】同実施形態の釣竿の製造過程を示す概略図。
【図５】同実施形態の釣竿の断面形状を模式的に示す拡大縦断面図。
【符号の説明】
１…ソリッド体、１ａ…外周面、４，５，６，７，８…プリプレグ、４ｂ，５ｂ，６ｂ，７ｂ…竿先側端部
【図１】
0004183842.tif 000002
【図２】
0004183842.tif 000003
【図３】
0004183842.tif 000004
【図４】
0004183842.tif 000005
【図５】
0004183842.tif 000006